(57)【要約】【課題】テンプルを閉じるときにテンプルの後端部がレンズの内側下部に当接しない眼鏡フレームを提供する。【解決手段】弾性体８の一端をテンプル７の端部に固定すると共に、弾性体８の他端とヨロイ６とを丁番９で連結する。また、少なくとも一方の丁番９が、テンプル７を閉じる際に所定の位置で回動を停止するための停止手段を備えている。【選択図】図１
2007206360.tif 000002
【特許請求の範囲】
【請求項１】
左右のヨロイにテンプルが回動可能に取り付けられている眼鏡フレームであって、
前記テンプルの端部に弾性体の一端が固定されると共に、前記弾性体の他端と前記ヨロイとが丁番で連結され、少なくとも一方の丁番が、前記テンプルを閉じる際に所定の位置で回動を停止するための停止手段を備えていることを特徴とする眼鏡フレーム。
【請求項２】
前記丁番が、前記弾性体の他端に設けられたコマと前記ヨロイに設けられたコマとを軸ネジで連結してなる請求項１に記載の眼鏡フレーム。
【請求項３】
前記停止手段が、前記弾性体のコマに設けられた突起と前記ヨロイの一部とを当接させてなる請求項２に記載の眼鏡フレーム。
【請求項４】
前記弾性体は湾曲状をなしている請求項１に記載の眼鏡フレーム。
【発明の詳細な説明】
【技術分野】
【０００１】
本発明は眼鏡フレームに関し、特に、左右のヨロイにテンプルが回動可能に取り付けられている眼鏡フレームに関する。
【背景技術】
【０００２】
眼鏡フレームには様々なタイプのものが存在するが、ファッションのアイテムとしてスマートなデザインのものが好まれるようになり、需要の伸びが期待されている。例えば特許文献１には、スマートなデザインのハーフリム眼鏡やツーポイントのリムレス眼鏡に関する発明が提案されている。通常のフルリムタイプの眼鏡ではレンズの外周が全てリム等で覆われているのに対して、ハーフリム眼鏡ではレンズの下半部にリム等を備えておらず、また、ツーポイントのリムレス眼鏡ではレンズのほとんど全周においてリム等を備えていない。
【０００３】
多くの眼鏡フレームは、左右のヨロイに丁番を介してテンプルが連結され、フロント部に対してテンプルが回動するように取り付けられている。そして、眼鏡を使用する際にはテンプルを開いた状態で着用し、眼鏡を外す際にはテンプルを閉じた状態にしてケースに収納する。眼鏡フレームは、通常、テンプルを閉じるときにテンプルの後端部がレンズの内側下部に当接するのが一般的である。このとき、フルリムタイプの眼鏡フレームでは、レンズの周囲にリムがあるので、テンプルの後端部がレンズに直接当接することはない。
【０００４】
しかしながら、ハーフリム眼鏡やリムレス眼鏡においてはレンズの下部にリム等がないために、テンプルの後端部が直接レンズに当接し、レンズの内側下部を傷つけることになる。また、フルリムタイプの眼鏡においても、度の強い近視用の凹レンズを用いる場合には、レンズの外周がリムの幅よりも厚くなることが少なくない。したがって、この場合にもテンプルの後端部が直接レンズに当接し、レンズの内側下部を傷つけることになる。
【０００５】
そこで、本発明者等は、テンプルの後端部がレンズの内側下部に当接しないように、丁番に停止手段を備えた眼鏡フレームを考案した。すなわち、フロント部に対してテンプルを閉じる方向に回動したときに、テンプルの後端部がレンズの内側下部に当接する手前で回動が停止するので、テンプルでレンズが傷つけられるのを防ぐことができる。
【０００６】
しかしながら、テンプルを閉じる際に無意識で大きな力を加えてしまったり、布で包んでケースに収納する際にケースの蓋で眼鏡を圧迫したりするなど、眼鏡を折りたたんだ状態で強く押さえ付けてしまうことがわかった。そして、テンプルや丁番が変形して停止手段が無効になったり、丁番等が破損してしまったり、多くのトラブルが発生することになった。
【特許文献１】特開２００５−２０２１５１号公報
【発明の開示】
【発明が解決しようとする課題】
【０００７】
本発明は上記の課題を解決したものであり、テンプルを閉じるときにテンプルの後端部がレンズの内側下部に当接することを防ぐ眼鏡フレームを提供することを目的とする。また、テンプルを閉じる際に無意識で大きな力を加えたり、収納したケースの蓋で眼鏡を圧迫したりすることがあっても、テンプルや丁番が変形や破損を起すことのない眼鏡フレームを提供することを目的とする。
【課題を解決するための手段】
【０００８】
上記の課題を解決するために、本発明の請求項１に係る眼鏡フレームは、左右のヨロイにテンプルが回動可能に取り付けられている眼鏡フレームであって、前記テンプルの端部に弾性体の一端が固定されると共に、前記弾性体の他端と前記ヨロイとが丁番で連結され、少なくとも一方の丁番が、前記テンプルを閉じる際に所定の位置で回動を停止するための停止手段を備えている手段を採用している。
【０００９】
また、本発明の請求項２に係る眼鏡フレームは、請求項１に記載の眼鏡フレームであって、前記丁番が、前記弾性体の他端に設けられたコマと前記ヨロイに設けられたコマとを軸ネジで連結してなる手段を採用している。また、本発明の請求項３に係る眼鏡フレームは、請求項２に記載の眼鏡フレームであって、前記停止手段が、前記弾性体のコマに設けられた突起と前記ヨロイの一部とを当接させてなる手段を採用している。さらに、本発明の請求項４に係る眼鏡フレームは、請求項１に記載の眼鏡フレームであって、弾性体を湾曲状に形成した手段を採用している。
【発明の効果】
【００１０】
本発明の眼鏡フレームは上記の手段を採用することにより、テンプルを閉じるときにテンプルの後端部がレンズの内側下部に当接することを防ぐことができる。また、テンプルを閉じる際に無意識で大きな力を加えてしまったり、布で包んでケースに収納する際にケースの蓋で眼鏡を圧迫したりした場合でも、テンプルや丁番が変形して停止手段が無効になったり、丁番等が破損してしまったりすることがない。
【発明を実施するための最良の形態】
【００１１】
以下、本発明の実施の一例を図１〜図５により説明するが、これらの図は本願発明を何ら限定するものではない。図１は本発明の眼鏡フレームを示す斜視図であり、図２はテンプルを開いた状態を示す平面図、図３はテンプルを閉じた状態を示す平面図、図４は丁番を開いた状態から閉じた状態まで示す詳細説明図、図５は丁番の構造を示す分解図である。
【００１２】
図において、眼鏡フレーム１はハーフリムタイプである場合を示している。すなわち、この眼鏡フレーム１は、レンズ５の下部を保持するリムを備えていない。フロント部２は、中央がブリッジ３で一体に連結され、左右の端部にはヨロイ６が一体に形成されている。また、中央には鼻パッド４が設けられている。
【００１３】
本発明の眼鏡フレーム１は、テンプル７の端部に弾性体８を備えている。すなわち、テンプル７の端部には湾曲状の弾性体８の一端が一体に固定され、弾性体８の他端とヨロイ６とが丁番９で連結されている。この丁番９により、従来の眼鏡フレームと同様に、テンプル７はフロント部２に対して回動可能となっている。
【００１４】
弾性体８は、ヨロイ６の回動面に沿って湾曲状をなしており、回動面に沿って可撓性を示すものである。すなわち、回動面に沿って可撓性を示すものであれば、他の形態とすることも可能である。この結果、例えば図２に示すテンプル７の回動を最大に開いた状態で、さらにテンプル７を開く方向に力を加えると、弾性体８の撓みによりテンプル７をさらに拡開することができる。
【００１５】
また、本発明の眼鏡フレーム１は、フロント部２に対してテンプル７を閉じる際に、少なくとも一方の丁番９が、所定の位置で回動を停止するための停止手段を備えていることを必須の要件としている。この停止手段によって、テンプル７を閉じる際に、テンプル７の後端部がレンズ５の内側下部に当接する手前で回動が停止するので、テンプル７でレンズ５が傷つけられるのを防ぐことができる。
【００１６】
丁番９の形態等について特に制限はなく、図５に示すような通常の丁番を用いることができる。図において、ヨロイ６に設けられたコマ９１と弾性体８の他端に設けられたコマ９２が、軸ネジ９３で連結されることにより丁番９を形成している。そして、弾性体８側のコマ９２の外周面に、突起９５が設けられている。したがって、テンプル７を閉じる際に、突起９５がヨロイ６の一部に当接することで回動を停止させ、停止手段を形成するものである。
【００１７】
丁番９と停止手段について図４により説明する。図４ａは、図２と同じく、テンプル７の回動を最大に開いた状態を示しており、突起９５が、ヨロイ６から離れている状態を示している。図４ｂは、テンプル７を少し閉じる方向に回動した状態を示しており、突起９５が、ヨロイ６に近づいた状態を示している。図４ｃは、図３と同じく、テンプル７の回動を最小に閉じた状態を示し、突起９５がヨロイ６の一部に当接している状態を示している。
【００１８】
このように、突起９５をヨロイ６の一部に当接させる停止手段によって、テンプル７を閉じる際にテンプル７の回動が停止される。この結果、図３に示すように、テンプル７を閉じた状態で、テンプル７の後端部はレンズ５の内側下部から離れた位置で停止し、レンズ５に当接することを防ぐことになる。
【００１９】
停止手段は左右両方の丁番９に備えることができるが、先に閉じる一方のテンプル７の丁番９のみに備えた場合でも、本発明の目的を達成することができる。通常の眼鏡フレーム１では、左側のテンプル７を先に閉じて、その後右側のテンプル７を閉じるように調整されている。
【００２０】
本発明の眼鏡フレーム１は、湾曲状の弾性体８と停止手段を備えた丁番９を併せて備えている。このため、テンプル７を閉じる際に無意識で大きな力を加えた場合でも、弾性体８により力を吸収することができる。また、テンプル７を閉じた図３の状態で眼鏡を圧迫するような力を加えた場合でも、弾性体８により力を吸収することができる。
【００２１】
以上のように、本発明の眼鏡フレーム１は、テンプル７を閉じる際にテンプル７の後端部がレンズ５の内側下部から離れた位置で停止し、レンズ５に当接しないので、レンズ５が傷つけられるのを防ぐことができる。また、テンプル７を閉じた状態で大きな力を加えても弾性体８が力を吸収するので、テンプル７を閉じる際に無意識で大きな力を加えてしまったり、布で包んでケースに収納する際にケースの蓋で眼鏡を圧迫したりした場合でも、テンプル７や丁番９が変形して停止手段が無効になったり、丁番９が破損してしまったりすることがない。なお、弾性体の湾曲形状は図示の形状に限定するものでは無い。
【図面の簡単な説明】
【００２２】
【図１】本発明の眼鏡フレームの一例を示す斜視図である。
【図２】同眼鏡フレームのテンプルを開いた状態を示す平面図である。
【図３】同眼鏡フレームのテンプルを閉じた状態を示す平面図である。
【図４】同眼鏡フレームの丁番を開いた状態から閉じた状態まで示す詳細説明図である。
【図５】同眼鏡フレームの丁番の構造を示す分解図である。
【符号の説明】
【００２３】
１  眼鏡フレーム
２  フロント部
３  ブリッジ
４  鼻パッド
５  レンズ
６  ヨロイ
７  テンプル
８  弾性体
９  丁番
９１  コマ
９２  コマ
９３  軸ネジ
９５  突起
【図１】
2007206360.tif 000003
【図２】
2007206360.tif 000004
【図３】
2007206360.tif 000005
【図４】
2007206360.tif 000006
【図５】
2007206360.tif 000007